(57)【特許請求の範囲】
【請求項１】
クレードルに嵌挿されて所定のテンサーゲージを確保するテンサー規制具であって、断面Ｕ字状にプレス成形された金属製クリップの平行板部における一方の板部に、前記クレードルからの脱落を防止するための脱落防止部が設けられ、この脱落防止部が、前記クレードルに形成されている凸部または孔部と係合し得るように構成されたテンサー規制具において、
前記平行板部を連絡している規制具先端部分に、前記クレードルの前側縁部と当接し得る係止部と、この係止部を基端としてボトムローラ側に向けて円弧状に突出する突出部が設けられ、この突出部が所定のテンサーゲージを確保する長さに形成されていることを特徴とするテンサー規制具。
【請求項２】
前記突出部は前記テンサー規制具の左右方向両側に一対形成されている請求項１記載のテンサー規制具。
【発明の詳細な説明】
【０００１】
【発明の属する技術分野】
本発明は、粗紡機やリング精紡機のドラフト装置においてトップローラとクレードルを周回するエプロンバンドにテンションを付与するテンサーに関し、より詳しくは、テンサーゲージを維持するためにクレードルに装着されるテンサー規制具に関するものである。
【０００２】
【従来の技術】
従来、ドラフト装置におけるクレードル用トップローラは、セカンドボットムローラに向けて押圧された状態で支持されており、クレードルの位置規制脚は、セカンドボットムローラに配設されているテンサーバーの案内板と当接するように構成されており、それによりクレードルは、粗糸走行方向における先端側が規制された状態で揺動可能に構成されている。また、粗糸の種類に応じて所定のテンサーゲージを確保するための構成として、例えば、突起式のテンサー規制具や嵌込み式のテンサー規制具がクレードルに装着されている。
【０００３】
上記突起式のテンサー規制具とは、例えば、クレードルに螺合したボルトの頭部高さを利用するものであり、また、嵌込み式のテンサー規制具とは、例えば図４に示すような断面Ｕ字状の嵌め込み式の樹脂製キャップ５０等で構成されている。この樹脂製キャップ５０は、クレードル５１に突設されている軸部５１ａに対し、湾状に形成されている切欠き５０ａを係着させることによってその軸部５１ａを把持できるようになっており、それにより樹脂製キャップ５０の位置決め並びに固定が行われるようになっている。
【０００４】
【発明が解決しようとする課題】
しかしながら、上述した突起式のテンサー規制具では、一点支持であるためにその動作が不安定であるという問題があり、また、嵌込み式のテンサー規制具では、突起式のものに比べて動作が安定するものの、樹脂製であるために摩耗することが避けられず、従って運転時間が長期に及ぶと所定のテンサーゲージを維持することができなくなるという問題がある。
【０００５】
本発明は以上のような従来のテンサー規制具における課題を考慮してなされたものであり、長期の運転において動作が安定しており、且つテンサーゲージを所定の精度に維持することができるテンサー規制具を提供するものである。
【０００６】
【課題を解決するための手段】
本発明は、クレードルに嵌挿されて所定のテンサーゲージを確保するテンサー規制具であって、断面Ｕ字状にプレス成形された金属製クリップの平行板部における一方の板部に、クレードルからの脱落を防止するための脱落防止部が設けられ、この脱落防止部が、クレードルに形成されている凸部または孔部と係合し得るように構成されたテンサー規制具において、平行板部を連絡している規制具先端部分に、クレードルの前側縁部と当接し得る係止部と、この係止部を基端としてボトムローラ側に向けて円弧状に突出する突出部が設けられ、この突出部が所定のテンサーゲージを確保する長さに形成されているテンサー規制具である。
【０００７】
本発明において、突出部はテンサー規制具の左右方向両側に一対形成することが好ましい。
【０００８】
【発明の実施の形態】
以下、図面に示した実施例に基づいて本発明を詳細に説明する。
【０００９】
図１及び図２は、本発明に係るテンサー規制具の一実施例をクレードルに装着した状態を示したものである。本実施例に示すクレードル１は、精紡機のドラフト装置に適用されるＴ型クレードルと呼ばれるものであり、トップローラ２の回転軸２ａに備えられ、その回転軸２ａを支点として矢印Ａ方向に揺動できるよう構成されている。
【００１０】
粗糸走行方向Ｂにおいてクレードル１の前側には、トップローラ２に対応してテンサー１ａ，１ｂが備えられている。このテンサー１ａ，１ｂは、その内部に格納されている巻きばねＳによって矢印Ｂ方向に付勢されている。従ってテンサー１ａ，１ｂとトップローラ２とに張架されたエプロンバンド３にテンションを付与することができるようになっている。
【００１１】
これらのテンサー１ａ及び１ｂの中間に、本発明の特徴をなすテンサー規制具４が装着されている。テンサー規制具４は所定のテンサーゲージｔを確保するためのものであり、図３に示すように、断面Ｕ字状にプレス成形された金属製クリップ（図３(ａ) 参照）からなり、平行する板部４ａ，４ｂにおける一方の板部４ａには、クレードル１からの脱落を防止するための脱落防止部として長孔４ｃが形成されている。なお、この長孔４ｃはテンサー規制具４の位置決めを行うためのものでもある。
【００１２】
上記長孔４ｃは、粗糸走行方向Ｂに沿ってテンサー規制具４の中央に形成されており、テンサー規制具４の位置決めガイドとしてクレードル１のプレート部１ｃ上に突設された凸部１ｄと係合するようになっている。
【００１３】
また、板部４ａと４ｂとを円弧状に接続している突出部４ｄは、所定のテンサーゲージｔを満足するような長さＬに構成されている。従って、この長さＬを変えて複数のテンサー規制具を製造すれば、様々な種類の粗糸に対応することが可能になる。なお、突出部４ｄと板部４ａの間には、クレードル１の前側縁部と当接し得る係止部４ｅが備えられている。
【００１４】
上記テンサー規制具４はステンレス材に焼入れ処理したものを使用することが好ましいが、これに限らず、ばね材として機能する部材を用いても構成することができる。
【００１５】
上記構成を有する本実施例の動作を以下に説明する。
【００１６】
テンサー規制具４における開口側をクレードル１の前側縁部に対向させ、且つクレードル１の凸部１ｄの粗糸走行方向延長線上に長孔４ｃを配置させ、テンサー規制具４をクレードル１に圧入すると、テンサー規制具４の板部４ａ，４ｂがそれぞれ板ばねとして働くため、板部４ａの中央縁部４ｆが凸部１ｄを乗り越えた時点でテンサー規制具４が、クレードル１のプレート部１ｃをその両側から強く把持する。また、係止部４ｅはクレードル１の前側縁部と当接するため、それによりテンサー規制具４はクレードル１に対し安定した状態で固定される。そして、テンサー規制具４の突出部４ｄはクレードル１の前側縁部を基準として所定のテンサーゲージを確保する。
【００１７】
なお、本発明の脱落防止部は、上記実施例ではクレードル１に形成されている凸部１ｄと係合し得る長孔４ｃで構成したが、これに限らず、クレードル１に形成されている長孔と係合し得る凸部をテンサー規制具４側に設ける構成であってもよい。
【００１８】
【発明の効果】
以上説明したことから明らかなように、本発明のテンサー規制具によれば、長期の運転において動作が安定しており、且つテンサーゲージを所定の精度に維持することができるという長所を有する。
【図面の簡単な説明】
【図１】本発明に係るテンサー規制具のクレードル装着状態を示す斜視図である。
【図２】本発明に係るテンサー規制具の動作を説明する側面図である。
【図３】本発明のテンサー規制具の形状を示す説明図である。
【図４】従来のテンサー調整具を示す斜視図である。
【符号の説明】
１    クレードル
１ａ，１ｂ  テンサー
１ｄ  凸部
２    トップローラ
３    エプロンバンド
４    テンサー規制具
４ａ，４ｂ  平行する板部
４ｃ  長孔
【図１】
0003573311.tif 000002
【図２】
0003573311.tif 000003
【図３】
0003573311.tif 000004
【図４】
0003573311.tif 000005